(57)【要約】      （修正有）【課題】マッサージ器を取り外すことなく通常のいすとして使用可能ないす及び当該いすにマッサージ器を収容したいすセットを提供する。【解決手段】座面２と背もたれ３とを有するいすである。背もたれ３は、使用者の着座時に、使用者の背中が接する表面３ａと、表面３ａの反対側の裏面３ｂとを含んでいる。背もたれ３の裏面３ｂ側には、マッサージ器１２を着脱自在に収容可能な収容部４を有している。収容部４は、マッサージ器１２を保持する保持部５と、保持部５によるマッサージ器１２の保持位置を変更する変更部６とを含んでいる。【選択図】図３
2020068994.tif 000002
【特許請求の範囲】
【請求項１】
座面と背もたれとを有するいすであって、
前記背もたれは、使用者の着座時に、前記使用者の背中が接する表面と、前記表面の反対側の裏面とを含み、
前記背もたれの前記裏面側には、マッサージ器を着脱自在に収容可能な収容部を有し、
前記収容部は、前記マッサージ器を保持する保持部と、前記保持部による前記マッサージ器の保持位置を変更する変更部とを含む、
いす。
【請求項２】
前記座面は、前記背もたれの前記裏面側まで延びる延長座面を有し、
前記保持部は、前記背もたれの上方側で開口する第１開口部と、前記背もたれの下方側で開口する第２開口部とを含み、
前記延長座面は、前記第１開口部から前記第２開口部に向けた延長線上に位置する、請求項１に記載のいす。
【請求項３】
前記変更部は、前記保持部による前記マッサージ器の前記保持位置を、前記マッサージ器と前記背もたれとの距離が小さい第１位置と、前記マッサージ器と前記背もたれとの距離が大きい第２位置とに変更自在である、請求項１又は２に記載のいす。
【請求項４】
前記第１位置は、前記マッサージ器が前記背もたれの前記裏面を押圧し、
前記第２位置は、前記マッサージ器が前記背もたれの前記裏面から離間する、請求項３に記載のいす。
【請求項５】
前記保持部は、シート状に形成され、
前記変更部は、ファスナーを含む、請求項１ないし４のいずれかに記載のいす。
【請求項６】
前記保持部は、枠体として形成され、
前記変更部は、カムを含む、請求項１ないし４のいずれかに記載のいす。
【請求項７】
前記背もたれは、予め定められた角度に変更可能である、請求項１ないし６のいずれかに記載のいす。
【請求項８】
前記座面と前記背もたれとは、両者が略平面上となる折畳状態に変形可能であり、
前記折畳状態において、前記収容部は、前記マッサージ器を収容可能である、請求項１ないし７のいずれかに記載のいす。
【請求項９】
請求項１ないし８のいずれかに記載のいすと、前記収容部に収容された前記マッサージ器とを含むいすセットであって、
前記マッサージ器は、前記収容部に収容された状態で使用を停止したとき、もみ玉が前記使用者の肩の上に移動する持ち運び自在なポータブルマッサージ器である、
いすセット。
【発明の詳細な説明】
【技術分野】
【０００１】
本発明は、マッサージ器を収容して使用するためのいすに関する。
【背景技術】
【０００２】
従来、マッサージ器を載置して使用するのに適したいすが知られている。例えば、下記特許文献１には、背もたれ部の使用者側にマッサージ器を載置して使用するいすが提案されている。
【先行技術文献】
【特許文献】
【０００３】
【特許文献１】特開２０１７−１７６４５４号公報
【発明の概要】
【発明が解決しようとする課題】
【０００４】
しかしながら、特許文献１のいすは、マッサージ器を使用せずに通常のいすとして使用するとき、マッサージ器をいすから取り外す必要があり、作業が煩雑であった。また、取り外したマッサージ器は、その保管場所が必要であり、マッサージ器を取り外すことなく通常のいすとして使用可能ないすが求められていた。
【０００５】
本発明は、以上のような実状に鑑み案出されたもので、マッサージ器を取り外すことなく通常のいすとして使用可能ないす及び当該いすにマッサージ器を収容したいすセットを提供することを主たる目的としている。
【課題を解決するための手段】
【０００６】
本発明は、座面と背もたれとを有するいすであって、前記背もたれは、使用者の着座時に、前記使用者の背中が接する表面と、前記表面の反対側の裏面とを含み、前記背もたれの前記裏面側には、マッサージ器を着脱自在に収容可能な収容部を有し、前記収容部は、前記マッサージ器を保持する保持部と、前記保持部による前記マッサージ器の保持位置を変更する変更部とを含むことを特徴とする。
【０００７】
本発明のいすにおいて、前記座面は、前記背もたれの前記裏面側まで延びる延長座面を有し、前記保持部は、前記背もたれの上方側で開口する第１開口部と、前記背もたれの下方側で開口する第２開口部とを含み、前記延長座面は、前記第１開口部から前記第２開口部に向けた延長線上に位置するのが望ましい。
【０００８】
本発明のいすにおいて、前記変更部は、前記保持部による前記マッサージ器の前記保持位置を、前記マッサージ器と前記背もたれとの距離が小さい第１位置と、前記マッサージ器と前記背もたれとの距離が大きい第２位置とに変更自在であるのが望ましい。
【０００９】
本発明のいすにおいて、前記第１位置は、前記マッサージ器が前記背もたれの前記裏面を押圧し、前記第２位置は、前記マッサージ器が前記背もたれの前記裏面から離間するのが望ましい。
【００１０】
本発明のいすにおいて、前記保持部は、シート状に形成され、前記変更部は、ファスナーを含むのが望ましい。
【００１１】
本発明のいすにおいて、前記保持部は、枠体として形成され、前記変更部は、カムを含むのが望ましい。
【００１２】
本発明のいすにおいて、前記背もたれは、予め定められた角度に変更可能であるのが望ましい。
【００１３】
本発明のいすにおいて、前記座面と前記背もたれとは、両者が略平面上となる折畳状態に変形可能であり、前記折畳状態において、前記収容部は、前記マッサージ器を収容可能であるのが望ましい。
【００１４】
本発明は、上述のいすと、前記収容部に収容された前記マッサージ器とを含むいすセットであって、前記マッサージ器は、前記収容部に収容された状態で使用を停止したとき、もみ玉が前記使用者の肩の上に移動する持ち運び自在なポータブルマッサージ器であることを特徴とする。
【発明の効果】
【００１５】
本発明のいすにおいて、背もたれの裏面側には、マッサージ器を着脱自在に収容可能な収容部を有している。このようないすは、マッサージ器が背もたれ部の裏面側に収容されるので、マッサージ器を取り外すことなく通常のいすとして使用することができる。
【００１６】
本発明のいすにおいて、収容部は、マッサージ器を保持する保持部と、前記保持部による前記マッサージ器の保持位置を変更する変更部とを含んでいる。このような収容部は、マッサージ器を取り外すことなく通常のいすとして使用したときに、マッサージ器が使用者の背中を押圧しないようにマッサージ器を保持することができる。したがって、本発明のいすは、マッサージ器を取り外すことなく通常のいすとして快適に使用することができる。
【図面の簡単な説明】
【００１７】
【図１】本発明のいすの一実施形態を示す正面側斜視図である。
【図２】図１のいすの背面側斜視図である。
【図３】図１のいすの側面図である。
【図４】マッサージ器を第２位置で保持するときのいすの背面側斜視図である。
【図５】本実施形態のいすセットの正面側斜視図である。
【図６】図５のいすセットの背面側斜視図である。
【図７】第２位置でマッサージ器を保持したいすセットの背面側斜視図である。
【図８】背もたれの角度を変更したいすセットの側面図である。
【図９】折畳状態で使用するときのいすの側面図である。
【図１０】折畳状態で収納するときのいすの側面図である。
【図１１】第２の実施形態のいすの背面側斜視図である。
【図１２】第２の実施形態のいすセットの背面側斜視図である。
【発明を実施するための形態】
【００１８】
以下、本発明の実施の一形態が図面に基づき詳細に説明される。
図１は、本実施形態のいす１を示す正面側斜視図であり、図２は、図１のいす１の背面側斜視図である。図１及び図２に示されるように、本実施形態のいす１は、座面２と背もたれ３とを有している。
【００１９】
背もたれ３は、例えば、使用者の着座時に、使用者の背中が接する表面３ａと、表面３ａの反対側の裏面３ｂとを含んでいる。本実施形態の背もたれ３の裏面３ｂ側には、マッサージ器１２（図７に示す）を着脱自在に収容可能な収容部４を有している。このようないす１は、マッサージ器１２が背もたれ部３の裏面３ｂ側に収容されるので、マッサージ器１２を取り外すことなく通常のいす１として使用することができる。
【００２０】
収容部４は、マッサージ器１２を保持する保持部５と、保持部５によるマッサージ器１２の保持位置を変更する変更部６とを含むのが望ましい。このような収容部４は、マッサージ器１２を取り外すことなく通常のいす１として使用したときに、マッサージ器１２が使用者の背中を押圧しないようにマッサージ器１２を保持することができる。したがって、本実施形態のいす１は、マッサージ器１２を取り外すことなく通常のいす１として快適に使用することができる。
【００２１】
より好ましい態様として、座面２は、座面支持体７により支持されている。座面支持体７は、例えば、木材により形成されている。座面支持体７は、例えば、金属又は合成樹脂により形成されていてもよい。座面支持体７は、座面２の両側面に沿って延びるのが望ましい。このような座面支持体７は、座面２を確実に支持することができ、使用者が着座したときの安定姓が良好である。
【００２２】
図３は、図１のいす１の側面図である。図２及び図３に示されるように、座面支持体７は、詳細は後述する支持脚体８Ｂを固定するための第１固定部７ａと第２固定部７ｂとを有している。図２及び図３では、支持脚体８Ｂが第２固定部７ｂに固定されている状態が示されている。このような座面支持体７は、背もたれ３を予め定められた角度で固定させることができる。
【００２３】
座面２は、例えば、座面支持体７間に張られた織布により形成されている。座面２は、使用者が着座したときの膝近傍に、使用者の太腿を押圧するように突出する膨出部２ａを有するのが望ましい。膨出部２ａは、例えば、内部にクッション体が封入された織布により形成されている。このような座面２は、使用者が着座したときの使用感が良好であり、座り心地を向上させることができる。
【００２４】
本実施形態の座面２は、背もたれ３の裏面３ｂ側まで延びる延長座面２ｂを有している。延長座面２ｂは、詳細は後述する保持部５の第１開口部５ａから第２開口部５ｂに向けた延長線上に位置するのが望ましい。このような延長座面２ｂは、保持部５にマッサージ器１２が挿入されたときにマッサージ器１２を支持することができる。
【００２５】
図１〜図３に示されるように、本実施形態の背もたれ３は、背もたれ支持体８により支持されている。背もたれ支持体８は、例えば、木材により形成されている。背もたれ支持体８は、例えば、金属又は合成樹脂により形成されていてもよい。背もたれ支持体８は、背もたれ３の両側面に沿って延びる支持本体８Ａと、支持本体８Ａの座面支持体７に対する背もたれ３の角度を調整する支持脚体８Ｂとを含むのが望ましい。支持脚体８Ｂは、例えば、支持本体８Ａに回動自在に連結されている。
【００２６】
このような背もたれ支持体８は、背もたれ３を確実に支持することができ、使用者が着座したときの安定姓が良好である。また、本実施形態の支持脚体８Ｂは、座面支持体７の第１固定部７ａ又は第２固定部７ｂに選択的に固定されることで、背もたれ３の角度を適宜調整することができる。
【００２７】
背もたれ３は、例えば、支持本体８Ａ間に張られた織布により形成されている。このような背もたれ３は、マッサージ器１２を使用しないときに、適度なクッション性を有することができる。また、本実施形態の背もたれ３は、マッサージ器１２を使用したときに、マッサージ器１２からの押圧力が使用者に伝達され易い。
【００２８】
本実施形態の背もたれ３には、ヘッドレスト９が着脱自在に取り付けられている。ヘッドレスト９は、例えば、内部にクッション体が封入された織布により形成されている。ヘッドレスト９は、背もたれ３に巻き掛けられるベルト９ａにより、背もたれ３に取り付けられるのが望ましい。このようなヘッドレスト９は、取り付け高さを使用者に合わせて自在に変更できるので、使用者の着座時の快適性を向上させ得る。
【００２９】
本実施形態の保持部５は、シート状に形成されている。保持部５は、例えば、織布により形成されている。保持部５は、例えば、伸縮性を有する生地やゴム等の弾性体により形成されていてもよい。このような保持部５は、マッサージ器１２を保持するときに、マッサージ器１２に沿った形状に変形自在であるので、コンパクトに保持することができる。
【００３０】
図３に示されるように、本実施形態の保持部５は、背もたれ３の上方側で開口する第１開口部５ａと、背もたれ３の下方側で開口する第２開口部５ｂとを含んでいる。第１開口部５ａの開口面積と第２開口部５ｂの開口面積とは、略等しいのが望ましい。このような保持部５は、マッサージ器１２を第１開口部５ａ側から第２開口部５ｂ側へ向けて挿入することができ、マッサージ器１２の取り付け作業がスムーズに行われ得る。また、本実施形態の保持部５は、第１開口部５ａから第２開口部５ｂの延長線上に座面２の延長座面２ｂが位置しているので、マッサージ器１２を確実に保持することができる。
【００３１】
図４は、マッサージ器１２を第２位置Ｐ２で保持するときのいす１の背面側斜視図である。図２及び図４に示されるように、変更部６は、保持部５によるマッサージ器１２の保持位置を変更自在であるのが望ましい。変更部６は、例えば、マッサージ器１２の保持位置を第１位置Ｐ１と第２位置Ｐ２とに２段階に変更することができる。変更部６は、例えば、マッサージ器１２の保持位置を３段階以上に変更してもよい。
【００３２】
本実施形態の変更部６は、ファスナー６Ａと延長部６Ｂとを含んでいる。延長部６Ｂは、例えば、織布により形成されている。延長部６Ｂは、例えば、伸縮性を有する生地やゴム等の弾性体により形成されていてもよい。変更部６は、ファスナー６Ａに限定されるものではなく、例えば、面ファスナーやボタン、ホック等を含むものであってもよい。このような変更部６は、マッサージ器１２の保持位置の変更が容易である。
【００３３】
図１に示されるように、いす１は、着座した使用者の両側を延びる一対の手すり１０を含むのが望ましい。手すり１０は、例えば、木材により形成されている。手すり１０は、例えば、金属又は合成樹脂により形成されていてもよい。本実施形態の各手すり１０は、支持本体８Ａに回動自在に支持されている。手すり１０には、例えば、カップ等を置くためのカップホルダーや、リモコン等を置くためのリモコンホルダーが設けられていてもよい。このような手すり１０は、いす１に着座した使用者の快適性を向上させることができる。
【００３４】
図５は、本実施形態のいす１とマッサージ器１２とを含むいすセット１１の正面側斜視図であり、図６は、図５のいすセット１１の背面側斜視図である。図５及び図６は、マッサージ器１２と背もたれ３との距離が小さい第１位置Ｐ１でマッサージ器１２を保持した状態のいすセット１１である。図５及び図６に示されるように、本実施形態のいすセット１１は、いす１と、収容部４に収容されたマッサージ器１２とを含んでいる。
【００３５】
マッサージ器１２は、例えば、座面部１３と背もたれ部１４とを含むマッサージシートのような持ち運び自在なポータブルマッサージ器である。マッサージ器１２は、座面部１３が座面２の上に配され、背もたれ部１４が収容部４に保持されるのが望ましい。背もたれ部１４には、例えば、背もたれ部１４の長手方向に沿って移動可能な周知のもみ玉（図示省略）が内装されている。このようなマッサージ器１２は、使用者の肩から腰まで、背中全体をマッサージすることができる。
【００３６】
マッサージ器１２は、収容部４に収容された状態で使用を停止したとき、もみ玉が使用者の肩の上に移動するのが望ましい。このようなマッサージ器１２は、いす１からマッサージ器１２を取り外すことなく通常のいす１として使用したときに、もみ玉が使用者の背中を押圧するおそれがない。
【００３７】
このため、本実施形態のいす１は、マッサージ器１２を第１位置Ｐ１で保持したとしても、マッサージ器１２を取り外すことなく通常のいす１として快適に使用することができる。なお、マッサージ器１２は、このようなマッサージシートに限定されるものではなく、例えば、クッション内部にマッサージ機能を有するマッサージクッションであってもよい。
【００３８】
図７は、マッサージ器１２と背もたれ３との距離が大きい第２位置Ｐ２でマッサージ器１２を保持した状態のいすセット１１の背面側斜視図である。図６及び図７に示されるように、収容部４の変更部６は、マッサージ器１２の保持位置を、第１位置Ｐ１と第２位置Ｐ２とに変更自在である。
【００３９】
このような変更部６を含む収容部４は、マッサージ器１２を第２位置Ｐ２に保持することで、通常のいす１として使用したときに、マッサージ器１２が使用者の背中を押圧しないようにマッサージ器１２を保持することができる。また、収容部４は、変更部６を第２位置Ｐ２となるように開くことで、マッサージ器１２が容易に挿入され得る。
【００４０】
本実施形態の第１位置Ｐ１は、マッサージ器１２が背もたれ３の裏面３ｂを押圧している。このようないすセット１１は、マッサージ器１２を使用したときに、マッサージ器１２の押圧力が使用者に伝達され易い。
【００４１】
本実施形態の第２位置Ｐ２は、マッサージ器１２が背もたれ３の裏面３ｂから離間している。このようないすセット１１は、いす１を通常のいす１として使用するときにも、マッサージ器１２を取り外す必要がなく、利便性を向上させることができる。
【００４２】
図８は、背もたれ３の角度を変更したいすセット１１の側面図である。図８に示されるように、本実施形態のいす１の背もたれ３は、予め定められた角度に変更可能である。背もたれ３は、例えば、支持脚体８Ｂの座面支持体７に対する固定位置を変更することで角度が変更される。このようないす１は、使用者の好みに応じて、背もたれ３の角度を変更することができる。
【００４３】
図９は、折畳状態で使用するときのいす１の側面図である。図９に示されるように、本実施形態の座面２と背もたれ３とは、両者が略平面上となる折畳状態に変形可能である。いす１は、折畳状態において、収容部４が、マッサージ器１２を収容可能であるのが望ましい。本実施形態のいす１は、支持本体８Ａに対する回動角度を規制された支持脚体８Ｂを床面に当接させることで、マッサージ器１２の収容スペースを確保している。このようないす１は、使用者が折り畳まれたいす１の上に横たわった状態で、マッサージ器１２を使用することができる。
【００４４】
図１０は、折畳状態で収納するときのいす１の側面図である。図１０に示されるように、本実施形態の座面２と背もたれ３とは、両者が略平面上となる折畳状態に変形可能である。いす１は、例えば、支持脚体８Ｂ及び手すり１０が背もたれ３に沿って折り畳まれることで、よりコンパクトに折り畳まれ得る。このようないす１は、未使用時の収納場所を小さくすることができる。また、本実施形態のいす１は、マッサージ器１２を収容部４に収容した状態でも、収納場所に収納することができる。
【００４５】
図１１は、第２の実施形態のいす２１の背面側斜視図である。上述の実施形態と同一の機能を有する要素は、同一の符号が付され、その説明が省略される。図１１に示されるように、第２の実施形態のいす２１は、座面２と背もたれ３と背もたれ３に設けられた収容部２２とを有している。
【００４６】
収容部２２は、マッサージ器１２（図１２に示す）を保持する保持部２３と、保持部２３によるマッサージ器１２の保持位置を変更する変更部２４とを含むのが望ましい。このような収容部２２は、マッサージ器１２を取り外すことなく通常のいす２１として使用したときに、マッサージ器１２が使用者の背中を押圧しないようにマッサージ器１２を保持することができる。したがって、第２の実施形態のいす２１は、マッサージ器１２を取り外すことなく通常のいす２１として快適に使用することができる。
【００４７】
第２の実施形態の保持部２３は、少なくとも１つの枠体２３Ａとして形成されている。枠体２３Ａは、一対の側枠部２３ａと、一対の側枠部２３ａに回動自在に支持される後枠部２３ｂとを含むのが望ましい。側枠部２３ａ及び後枠部２３ｂは、例えば、木材により形成されている。側枠部２３ａ及び後枠部２３ｂは、例えば、金属又は合成樹脂により形成されていてもよい。
【００４８】
側枠部２３ａは、背もたれ支持体８の支持本体８Ａに回動自在に支持されるのが望ましい。第２の実施形態の保持部２３は、上述の実施形態と同様、背もたれ３の上方側で開口する第１開口部２３ｃと、背もたれ３の下方側で開口する第２開口部２３ｄとを含んでいる。保持部２３は、上述の実施形態と同様、第１開口部２３ｃから第２開口部２３ｄの延長線上に座面２の延長座面２ｂが位置するのが望ましい。
【００４９】
このような保持部２３は、マッサージ器１２を確実に保持することができる。また、第２の実施形態の保持部２３は、後枠部２３ｂを回転させることで、マッサージ器１２を挿入するときに、マッサージ器１２と変更部２４とが接触しないように保持することができる。なお、保持部２３は、例えば、枠体２３Ａが上下方向に複数並列されていてもよい。
【００５０】
第２の実施形態の変更部２４は、カム２４Ａを含んでいる。カム２４Ａは、例えば、木材により形成されている。カム２４Ａは、例えば、金属又は合成樹脂により形成されていてもよい。カム２４Ａは、後枠部２３ｂに回動自在に支持されるのが望ましい。第２の実施形態のカム２４Ａは、回動支点から各辺までの距離が異なる略矩形状である。カム２４Ａは、例えば、回動支点からの距離が異なる端部を有するものであれば、任意の形状が採用され得る。このような変更部２４は、マッサージ器１２に接触する辺を変更することで、マッサージ器１２の保持位置を多段階に変更することができる。
【００５１】
図１２は、第２の実施形態のいすセット２５の背面側斜視図である。図１２に示されるように、第２の実施形態のいすセット２５は、いす２１と、収容部２２に収容されたマッサージ器１２とを含んでいる。図１２では、変更部２４が第１位置Ｐ１でマッサージ器１２を保持している状態が示されている。
【００５２】
いすセット２５は、例えば、変更部２４のカム２４Ａを回転させることで、マッサージ器１２の保持位置を第２位置Ｐ２に変更することができる。いすセット２５は、さらにカム２４Ａを回転させることで、第１位置Ｐ１よりも強く背もたれ３を押圧する第３位置Ｐ３でマッサージ器１２を保持することもできる。このようないすセット２５は、使用者に応じてマッサージ器１２の押圧力を自在に変更することができる。
【００５３】
以上、本発明の特に好ましい実施形態について詳述したが、本発明は、上述の実施形態に限定されることなく、種々の態様に変形して実施し得る。
【符号の説明】
【００５４】
１    いす
２    座面
３    背もたれ
３ａ  表面
３ｂ  裏面
４    収容部
５    保持部
６    変更部
１２    マッサージ器
【図１】
2020068994.tif 000003
【図２】
2020068994.tif 000004
【図３】
2020068994.tif 000005
【図４】
2020068994.tif 000006
【図５】
2020068994.tif 000007
【図６】
2020068994.tif 000008
【図７】
2020068994.tif 000009
【図８】
2020068994.tif 000010
【図９】
2020068994.tif 000011
【図１０】
2020068994.tif 000012
【図１１】
2020068994.tif 000013
【図１２】
2020068994.tif 000014